(57)【要約】【課題】従来の光ディスク再生装置では、オートディスクチェンジを実現することが困難な場合があった。【解決手段】光ディスク再生装置は、複数の光ディスクを収容し、収容した任意の光ディスクを選択的に再生する光ディスク再生装置であって、光ディスク再生部と、前記光ディスク再生部が再生した光ディスクのタイトルを再生情報として保持する再生情報記憶部とを有し、前記再生情報に基づき、前記光ディスク再生部が既に再生したタイトルにタイトル移動を行なった場合は、再生対象とする光ディスクを切り替える再生対象とする前記光ディスクを切り替える。【選択図】図１
2008287820.tif 000002
【特許請求の範囲】
【請求項１】
複数の光ディスクを収容し、収容した任意の光ディスクを選択的に再生する光ディスク再生装置であって、
光ディスク再生部と、
前記光ディスク再生部が再生した光ディスクのタイトルを再生情報として保持する再生情報記憶部とを有し、
前記再生情報に基づき、前記光ディスク再生部が既に再生したタイトルにタイトル移動を行なった場合は、
再生対象とする光ディスクを切り替える光ディスク再生装置。
【請求項２】
前記再生情報記憶部は、前記光ディスク再生部が再生したタイトルの再生時間を再生情報として更に保持し、
前記光ディスク再生部が、既に再生したタイトルにタイトル移動を行い、
かつ、前記再生時間よりも前の時間を再生した場合は、
再生対象となる光ディスクを切り替えることを特徴とする請求項１に記載の光ディスク再生装置。
【請求項３】
前記光ディスク再生装置はさらに、
前記光ディスク再生部に制御信号を入力する制御信号入力部と、
前記制御信号が入力されてから前記再生情報を取得するまでの期間を計測するタイマとを有することを特徴とする請求項１あるいは２に記載の光ディスク再生装置。
【請求項４】
前記タイマによって計測された期間が所定の期間以上である場合に、再生対象とする前記光ディスクを切り替えることを特徴とする請求項１乃至３のいずれか１項に記載の光ディスク再生装置。
【請求項５】
複数の光ディスクを収容し、収容した任意の光ディスクを選択的に再生する光ディスク再生装置において、再生対象とする光ディスクの切り替えを制御する光ディスク再生装置の制御方法であって、
光ディスク再生部が再生した光ディスクのタイトルを再生情報として保持し、
前記再生情報に基づき、前記光ディスク再生部が既に再生したタイトルにタイトル移動を行なった場合は、
再生対象とする前記光ディスクを切り替える光ディスク再生装置の制御方法。
【請求項６】
前記再生情報として前記光ディスク再生部が再生したタイトルの再生時間をさらに保持し、
前記光ディスク再生部が、既に再生したタイトルにタイトル移動を行い、
かつ、前記再生時間よりも前の時間を再生した場合は、
再生対象とする前記光ディスクを切り替えることを特徴とする請求項５に記載の光ディスク再生装置の制御方法。
【請求項７】
前記光ディスク再生部に制御信号を入力し、
前記制御信号が入力されてから前記再生情報を取得するまでの期間を計測し、
前記計測された期間が所定の期間以上である場合に、
再生対象とする前記光ディスクを切り替えることを特徴とする請求項５あるいは６に記載の光ディスク再生装置の制御方法。
【発明の詳細な説明】
【技術分野】
【０００１】
本発明は、光ディスク再生装置及び光ディスク再生装置の制御方法に関し、特に再生するディスクを切り替えることが可能な光ディスク装置及びその制御方法に関する。
【背景技術】
【０００２】
複数枚のＤＶＤ−Ｖｉｄｅｏディスクを収容し、ディスクを切り替えながら再生することが可能な光ディスク再生装置が知られている。しかしながら、ＤＶＤ等の光ディスクによっては、本編の再生が終了した後に、ＤＶＤのコンテンツなどを表示するメニュー画面に移行し、再生の終了にならない場合がある。このようなディスクを再生する場合は、従来の光ディスク再生装置では、再生するＤＶＤ−Ｖｉｄｅｏディスクを自動的に切り替えることが不可能となってしまう。従って、複数枚のＤＶＤ−Ｖｉｄｅｏディスクを利用する場合、ユーザは自ら、光ディスク再生装置に対してＤＶＤ−Ｖｉｄｅｏディスクの切り替え操作を行う必要が生じる。このような問題に対して、ＤＶＤ−Ｖｉｄｅｏディスクを切り替えるオートディスクチェンジ機能を有するＤＶＤビデオ再生装置が特許文献１に記載されている。
【０００３】
図７に特許文献１に記載のＤＶＤビデオ再生装置７０を示す。ＤＶＤビデオ再生装置７０は、ＤＶＤ−Ｖｉｄｅｏディスク７１の再生開始を指示されると、１枚のＤＶＤ−Ｖｉｄｅｏディスク７１に含まれている複数のタイトルのサイズを取得する。そして、最大サイズのタイトルの１／２を超えるサイズのタイトルを監視対象タイトルとして認識する。そして、ＤＶＤ−Ｖｉｄｅｏディスク７１の再生を行なった場合に、監視対象タイトルの全ての再生が終了することで、ＤＶＤ−Ｖｉｄｅｏディスク７１の全ての再生が終了したものとみなしている。監視対象タイトル全ての再生が終了すると、ＤＶＤチェンジャ７２を動作させ、再生する光ディスクの切り替えが行なわれる。
【０００４】
このように、特許文献１に記載のＤＶＤビデオ再生装置では、有意なタイトルを再生しながら、ＤＶＤ−Ｖｉｄｅｏディスクを切り替える機能を実現させている。しかしながら、特許文献１に記載の技術では、ＤＶＤ−Ｖｉｄｅｏディスクの各タイトルのサイズを取得しなければならず、光ディスク再生装置にこの機能を実装する必要が生じる。また、特許文献１に記載のＤＶＤビデオ再生装置では、ＤＶＤ−Ｖｉｄｅｏディスクの仕様情報を取得してディスクチェンジを行なう必要があるため、処理が複雑化してしまう。
【特許文献１】特開２００３−３３８１１９号公報
【発明の開示】
【発明が解決しようとする課題】
【０００５】
上記したように、従来の光ディスク再生装置では、オートディスクチェンジを実現することが困難な場合があった。
【課題を解決するための手段】
【０００６】
本発明の１態様による光ディスク再生装置は、複数の光ディスクを収容し、収容した任意の光ディスクを選択的に再生する光ディスク再生装置であって、光ディスク再生部と、
光ディスク再生部が再生した光ディスクのタイトルを再生情報として保持する再生情報記憶部とを有し、再生情報に基づき、光ディスク再生部が既に再生したタイトルにタイトル移動を行なった場合は、再生対象とする光ディスクを切り替える。
【０００７】
本発明の１態様による光ディスク再生装置によれば、再生情報記憶部に保持された再生情報に基づいて、光ディスク再生部が既に再生したタイトルにタイトル移動を行なった場合は、再生対象とする光ディスクを切り替えることが可能である。
【０００８】
本発明の１態様による光ディスク再生装置の制御方法は、複数の光ディスクを収容し、収容した任意の光ディスクを選択的に再生する光ディスク再生装置において、再生対象とする光ディスクの切り替えを制御する光ディスク再生装置の制御方法であって、光ディスク再生部が再生した光ディスクのタイトルを再生情報として保持し、再生情報に基づき、光ディスク再生部が既に再生したタイトルにタイトル移動を行なった場合は、再生対象とする光ディスクを切り替える。
【０００９】
本発明の１態様による光ディスク再生装置の制御方法によれば、再生した光ディスクのタイトルを再生情報として保持し、この再生情報に基づいて、光ディスク再生部が既に再生したタイトルにタイトル移動を行なった場合は、再生対象とする光ディスクを切り替えることが可能である。
【発明の効果】
【００１０】
本発明によれば、オートディスクチェンジを容易に実現することが可能となる。
【発明を実施するための最良の形態】
【００１１】
実施の形態１
以下、図面を参照して本発明の実施の形態について説明する。図１は、本発明の実施の形態１に関わる光ディスク再生装置を示すブロック図である。なお、本実施の形態では、光ディスク再生装置としてＤＶＤビデオ再生装置を用いるものとする。図１に示すように、本実施の形態のＤＶＤビデオ再生装置１００は、光ディスク再生部１、ＣＰＵ２、ユーザ操作入力装置３、メモリ４、ユーザ操作タイマ５、再生情報記憶部（以下、再生情報メモリと称す）６を有している。
【００１２】
光ディスク再生部１は、デッキ制御部１２、ディスクチェンジャ部１３、プレゼンテーションエンジン１４、通信部１５によって構成されている。また、この光ディスク再生部１には、複数枚のＤＶＤ−Ｖｉｄｅｏディスク１１が収容されている。
【００１３】
デッキ制御部１２は、ＣＰＵ２からのコマンドに基づいて、ＤＶＤ−Ｖｉｄｅｏディスク１１の再生動作の制御を行なう。また、本実施の形態では、デッキ制御部１２は、ＤＶＤ−Ｖｉｄｅｏディスク１１の再生中タイトル情報Ｔ及び再生中タイトル情報に対応する再生時間情報Ｉを取得する。なお、再生中タイトル情報Ｔ及び再生時間情報Ｉの詳細に関しては後述する。ディスクチェンジャ部１３は、複数枚のＤＶＤ−Ｖｉｄｅｏディスクの中から一枚のＤＶＤ−Ｖｉｄｅｏディスクを選択するＤＶＤチェンジャ機能を有している。
【００１４】
通信部１５は、光ディスク再生部１とＣＰＵ２との通信を行なう部分である。具体的には通信部１５は、ＣＰＵ２からのコマンドに基づいて、デッキ制御部１２によって取得されたＤＶＤ−Ｖｉｄｅｏディスク１１における再生中タイトル情報Ｔ及び再生中タイトル情報の現在まで再生した最終の再生時間情報ＩをＣＰＵ２に出力する。
【００１５】
プレゼンテーションエンジン１４は、ＤＶＤ−Ｖｉｄｅｏディスク１１からプレゼンテーションデータを読み込み、プレゼンテーションデータから、音声データ、動画データ、サブピクチャデータ等を抽出する。なお、プレゼンテーションデータとは、音声データ、動画データ、及びサブピクチャデータ等のプレゼンテーションの実体が格納されたデータである。
【００１６】
ＣＰＵ２は、ユーザ操作入力装置３からの入力操作に基づいて、光ディスク再生部１にコマンドを出力する。また、ＣＰＵ２は、このコマンドに基づいてＤＶＤ−Ｖｉｄｅｏディスク１から出力された再生情報の一部である再生中タイトル情報Ｔ及び再生時間情報Ｉを再生情報メモリ６へ出力する。ユーザ操作入力装置３は、リモートコントローラ等の入力装置によって構成され、ユーザがメニュー選択等の操作を行う。メモリ４は、ＣＰＵ２の処理命令に基づいて、プログラム及びデータを格納する。
【００１７】
ユーザ操作タイマ５は、ユーザ操作入力装置３からユーザによる入力操作が行われてからの所定の時間を計測する。また、ユーザ操作タイマ５によって計測された期間に関する情報と、上記した再生中タイトル情報Ｔ、再生時間情報Ｉによって再生情報を構成する。再生情報メモリ６は、ＣＰＵから出力されるコマンドに基づいて、再生対象である光ディスクから取得した再生中タイトル情報Ｔ及び再生時間情報Ｉを保持する。
【００１８】
図２は、ＤＶＤ−Ｖｉｄｅｏディスク１１のコンテンツ情報の管理について示す図である。ＤＶＤ−Ｖｉｄｅｏディスク１１は、タイトル情報ごとにそれぞれ、メニュー、メイン・コンテンツ等の内容が管理されている。また、ＤＶＤ−Ｖｉｄｅｏディスク１１は、タイトル情報ごとにそれぞれ、再生時間が管理されている。図４は、以上のように管理されたＤＶＤ−Ｖｉｄｅｏディスクから取得された再生中タイトル情報Ｔ及び再生時間情報Ｉの再生情報メモリ６への格納状態について示す図である。図４に示すように、再生情報メモリ６には、再生中のタイトル情報Ｔごとに既に再生した最終の再生時間情報Ｉが記憶される。
【００１９】
以上のように構成されたＤＶＤビデオ再生装置１００を用いたオートディスクチェンジ方法について、以下、図５及び図６に示すフローチャートを参照して詳細に説明する。
【００２０】
まず、ＤＶＤ−Ｖｉｄｅｏディスク１１が再生されると（図５、Ｓ２参照）、モニター（不図示）にメニュー画面が表示される。このとき、再生情報メモリ６は初期化される（図５、Ｓ３参照）。ユーザは、このメニュー画面でメニュー選択の操作を行い、例えばメイン・コンテンツを再生する（図５、Ｓ４参照）。すなわち、ユーザによる操作に基づいて、メニュー画面を示すタイトルＡからメイン・コンテンツを示すタイトルＢへと移行する（図３参照）。
【００２１】
このユーザ操作入力装置３からのユーザ操作に基づいて、ＣＰＵ２は、光ディスク再生部１にメイン・コンテンツを再生するためのコマンドを出力する（図５、Ｓ５参照）。その後、ユーザ操作タイマ５が設定される（図５、Ｓ６参照）。そして、選択されたメイン・コンテンツが再生されると、再生情報メモリ６は初期化された状態であるため、再生情報メモリ６に保持される再生中タイトル情報Ｔ及び再生時間情報Ｉが更新される（図５、Ｓ７参照）。
【００２２】
次に、再生時間情報Ｉの有無を確認する（図６、Ｓ８参照）。再生時間情報Ｉがある場合、再生中のメニューは動画であると判断される。一方、再生時間情報Ｉがない場合、再生中のメニューは静止画であると判断される。再生中のメニューが動画である場合、更新された再生時間情報Ｉと再生情報メモリ６に保持された既に再生されたタイトルごとの再生時間情報Ｉとの大小関係を比較する（図６、Ｓ９参照）。この大小関係の比較は、メイン・コンテンツの再生中にメニュー画面に入り、その後メニュー画面から元のメイン・コンテンツの続きを再生する場合に、メイン・コンテンツの終了を検出することなく続きを再生させるために行なわれる。すなわち、大小関係の比較を行なうことで、上記のような場合にディスクチェンジを行なうことなく、続きを再生することができる。なお、大小関係の比較とは、再生中のタイトルにおける再生時間が、既に再生されたタイトルにおける再生時間より前の時間を示しているか否かを判断するものである。そして、更新された再生時間情報Ｉが再生情報メモリ６に保持された既に再生されたタイトルごとの再生時間情報より前の時間を示していない場合、再生情報メモリ６は更新される（図６、Ｓ１０参照）。
【００２３】
メイン・コンテンツが終了すると、自動的にメニュー画面に移行する（図３参照）。この場合、ユーザ操作入力装置３からのユーザ操作は行われない（図５、Ｓ４参照）。メイン・コンテンツからメニュー画面に移行すると、再生時間情報が更新される（図５、Ｓ７参照）。
【００２４】
次に、上述したように、再生時間情報Ｉの有無が確認される（図６、Ｓ８参照）。そして、更新された再生時間情報Ｉと再生情報メモリ６に保持された既に再生されたタイトルごとの再生時間情報Ｉとの大小関係を比較する（図６、Ｓ９参照）。このとき、再生中のメニュー画面の再生時間は（図３に示すディスクエンドと見なすタイミング）、既に再生されたメニュー画面の再生時間（図３に示す既に再生したタイトルの最終再生位置）より前の時間を示している。
【００２５】
再生中のメニュー画面の再生時間が、既に再生されたメニュー画面の再生時間より前の時間を示す場合、再生中タイトル情報Ｔの変化の有無が判断される。メイン・コンテンツを示すタイトルＢからメニューを示すタイトルＡに移行したため、タイトル情報Ｔの変化が確認できる。
【００２６】
一方、再生中タイトル情報Ｔに変化がない場合がある。再生中タイトル情報Ｔに変化がない場合、「決定」のコマンドを光ディスク再生部１に出力する（図６、Ｓ１２参照）。この「決定」のコマンドとは、ユーザ操作入力装置３からＣＰＵ２を介して、光ディスク再生部１に発行されるものである。一部のＤＶＤ−Ｖｉｄｅｏディスクでは、メニュー画面において、静止画ではなく動画を繰り返す場合がある。このようなＤＶＤ−Ｖｉｄｅｏディスクのメニューは、ユーザがメニューの決定をしない限り、同じ動画を繰り返す。そこで、同一のタイトルを繰り返し再生する場合、すなわち、再生中タイトル情報Ｔに変化がない場合は、このようなＤＶＤ−Ｖｉｄｅｏディスクであるとみなし、メニューの「決定」操作を行う。そして、メニューから抜け出て、何らかのコンテンツを再生する。
【００２７】
再生中タイトル情報Ｔに変化がある場合、ユーザ操作タイマが有効時間内であるか否かが確認される（図６、Ｓ１３参照）。ユーザによる操作が行われてから、ＤＶＤ−Ｖｉｄｅｏディスク１１の動作処理が実行されるまでの時間が所定の時間以上である場合には、自動的にタイトル移動が行なわれたものと判断される。一方、ユーザによる操作が行われてから、ＤＶＤ−Ｖｉｄｅｏディスク１１の動作処理が実行されるまでの時間が所定の時間以内である場合には、ユーザ操作に基づいて、タイトル移動が行なわれたものと判断される。
【００２８】
ユーザ操作入力装置からのユーザの操作をＣＰＵ２が受けて、一定時間以上経過した状態で光ディスク再生部１からの再生中タイトル情報が変化した場合、ＤＶＤ−Ｖｉｄｅｏディスクのタイトルが自動的に移動したものと判断される。この場合、ディスクエンドが確定し、ディスクチェンジが行なわれる（図６、Ｓ１４参照）。
【００２９】
また、ＤＶＤのコンテンツによる自動タイトル移動で、今まで再生した静止画メニューのタイトルへ移動したときも、メイン・コンテンツが終了したものと見なす。よって、ディスクエンドが確定し、ディスクチェンジが行なわれる。
【００３０】
ディスクチェンジが行なわれると、切り替えられたＤＶＤディスクの再生中タイトル情報Ｔ及び再生中タイトル情報のそれぞれに対応する再生時間情報Ｉに基づいて、上記動作と同様のオートディスクチェンジ方法によるディスクチェンジが行なわれる。
【００３１】
以上に示したように、本実施の形態では、ＤＶＤ−Ｖｉｄｅｏディスクを再生する場合に、タイトルごとに現在まで再生した最終再生位置を記憶する。そして、ユーザの操作以外の自動タイトル移動において、既に再生したタイトルの最終再生位置より前の再生を開始したとき、メイン・コンテンツが終了したものと見なし、ディスクエンドによるディスクチェンジを行う。
【００３２】
具体的には、再生情報メモリ６に保持されたタイトルごとの再生時間情報と、自動タイトル移動によって更新された再生時間情報とを比較する。この更新された再生時間情報が再生情報メモリ６に保持された再生時間情報よりも前の時間を示す場合、メイン・コンテンツが終了したものと見なす。つまり、タイトルごとの再生時間を比較することによって、再生中のＤＶＤディスクを終了し、ディスクチェンジを行なうことが可能である。
【００３３】
また、更新された再生時間情報Ｉが再生情報メモリに保持された再生時間情報よりも前の時間を示す場合、再生中タイトル情報の変化の有無を確認する。一部のＤＶＤディスクではメニュー画面において、静止画ではなく動画を繰り返す場合があるため、ユーザがメニューの決定をしない限り、同じ動作を繰り返す可能性が生じる。よって、再生中タイトル情報の変化の有無を確認することによって、このような一部のＤＶＤディスクに対しての対策を行なうことが可能である。
【００３４】
また、本実施の形態では、ＤＶＤビデオ再生装置にユーザ操作タイマを設けた。ユーザ操作タイマを設けることによって、自動的にタイトルが移動したのか、あるいはユーザがユーザ操作入力装置から手動でタイトルの移動を行なったのかを確認することが可能である。そして、自動的にタイトルが移動した場合には、ディスクエンドであると見なし、ディスクチェンジを行なうことが可能である。
【００３５】
さらに、本実施の形態では、光ディスク再生部１に収容されたＤＶＤディスクにおける再生中タイトル情報Ｔ及び再生時間情報ＩのみをＣＰＵに通知するのみで、ディスクチェンジを実行することが可能である。このため、ＣＰＵにかかる負荷を抑制することが可能である。
【図面の簡単な説明】
【００３６】
【図１】本実施の形態１に関わるＤＶＤビデオ再生装置１００を示す図である
【図２】本実施の形態１に関わるＤＶＤ−Ｖｉｄｅｏディスクのコンテンツ管理を示す図である。
【図３】本実施の形態１に関わるＤＶＤ−Ｖｉｄｅｏディスクの再生動作を示す図である。
【図４】本実施の形態１に関わる再生情報メモリに保持される再生中タイトル情報及び再生中タイトル情報のそれぞれに対応する再生時間情報の一例を示す図である。
【図５】本実施の形態１に関わるオートディスクチェンジの制御方法を示すフローチャートである。
【図６】本実施の形態１に関わるオートディスクチェンジの制御方法を示すフローチャートである。
【図７】従来のＤＶＤビデオ再生装置を示す図である。
【符号の説明】
【００３７】
１００                    ＤＶＤビデオ再生装置
１                        光ディスク再生部
２                        ＣＰＵ
３                        ユーザ操作入力装置
４                        メモリ
５                        ユーザ操作タイマ
６                        再生情報メモリ
１１                      ＤＶＤ−Ｖｉｄｅｏディスク
１２                      デッキ制御部
１３                      ディスクチェンジャ部
１４                      プレゼンテーションエンジン
１５                      通信部
【図１】
2008287820.tif 000003
【図２】
2008287820.tif 000004
【図３】
2008287820.tif 000005
【図４】
2008287820.tif 000006
【図５】
2008287820.tif 000007
【図６】
2008287820.tif 000008
【図７】
2008287820.tif 000009